(57)【特許請求の範囲】
【請求項１】
パッチデータの入力値と、前記パッチデータに基づいて記録媒体上に形成したパッチの出力値と、に基づいた画像の色に関する変換精度を、前記パッチデータの入力値毎に算出し、当該算出した変換精度が、予め定められた許容範囲外となる前記パッチデータの入力値を低変換精度値として算出する算出手段と、
前記算出手段により算出された前記低変換精度値を記憶する記憶手段と、
前記パッチデータとは異なる印刷データが入力された場合に、当該印刷データが、前記記憶手段に記憶されている前記低変換精度値と一致する入力値を含むか否かを判定し、当該印刷データが前記低変換精度値と一致する入力値を含まないと判定したときに、当該印刷データの印刷を指示する判定手段と、
を備えたことを特徴とする印刷装置。
【請求項２】
前記算出手段は、前記画像の色の濃度に関する変換精度を算出することを特徴とする請求項１に記載の印刷装置。
【請求項３】
前記変換精度は、予め定められた基準値との差分であることを特徴とする請求項１または請求項２に記載の印刷装置。
【請求項４】
前記許容範囲を設定する設定手段を備えたことを特徴とする請求項１から請求項３の何れか１項に記載の印刷装置。
【請求項５】
前記印刷データに含まれる、前記低変換精度値と一致する入力値のデータ量を、所定の単位毎に計測する低変換精度データ量計測手段と、
前記低変換精度データ量計測手段により計測されたデータ量が予め定められた逸脱量閾値を越えるか否かを判断する逸脱量閾値判断手段と、
を備えたことを特徴とする請求項１から請求項４の何れか１項に記載の印刷装置。
【請求項６】
前記所定の単位は、ページ毎であることを特徴とする請求項５に記載の印刷装置。
【請求項７】
前記逸脱量閾値を予め定めるための逸脱量閾値設定手段を備えたことを特徴とする請求項５または請求項６に記載の印刷装置。
【請求項８】
前記逸脱量閾値判断手段により逸脱量閾値を越えると判断された前記所定の単位毎の印刷データを記憶する低変換精度印刷データ記憶手段を備えたことを特徴とする請求項５から請求項７の何れか１項に記載の印刷装置。
【請求項９】
前記低変換精度印刷データ記憶手段に記憶した前記所定の単位毎の印刷データの印刷を指示する低変換精度印刷データ印刷指示手段を備えたことを特徴とする請求項８に記載の印刷装置。
【請求項１０】
前記低変換精度印刷データ印刷指示手段は、前記所定の単位毎の印刷データを低変換精度値と一致する入力値と前記予め定められた基準値との差に基づく順序及び、前記低変換精度データ量計測手段により計測されたデータ量に基づく順序の少なくとも一方により印刷するように指示することを特徴とする請求項９に記載の印刷装置。
【請求項１１】
前記低変換精度印刷データ印刷指示手段が印刷すべき前記所定の単位の印刷データ、及び前記印刷データの前記所定単位毎の印刷順序の少なくとも一方を設定する印刷指示設定手段を備えたことを特徴とする請求項９または請求項１０に記載の印刷装置。
【請求項１２】
前記低変換精度印刷データ印刷指示手段は、前記逸脱量閾値判断手段により逸脱量閾値を越えると判断された前記所定の単位のデータと同一のデータが複数有る場合は、一つのデータのみ印刷するよう指示することを特徴とする請求項９から請求項１１の何れか１項に記載の印刷装置。
【請求項１３】
前記印刷指示手段は、前記逸脱量閾値判断手段により逸脱量閾値を越えると判断された前記所定の単位毎に、予め定められたマークを印刷するよう指示することを特徴とする請求項９から請求項１２の何れか１項に記載の印刷装置。
【請求項１４】
前記低変換精度印刷データ記憶手段に記憶した印刷データを前記所定の単位毎に削除する削除手段を備えたことを特徴とする請求項８から請求項１３の何れか１項に記載の印刷装置。
【請求項１５】
他の印刷装置の変換精度を取得する変換精度取得手段を備え、前記算出手段は、前記変換精度取得手段により取得された変換精度が、予め定められた許容範囲外となる低変換精度値を求めることを特徴とする請求項１から請求項１４の何れか１項に記載の印刷装置。
【請求項１６】
他の印刷装置の変換精度を取得する変換精度取得手段と、
前記判定手段により、印刷データが前記低変換精度値と一致する入力値を含まないと判定された場合、または、前記逸脱量閾値判断手段により、逸脱量閾値を越えないと判断された場合に、前記他の印刷装置に前記印刷データを送信するとともに、当該印刷データの印刷を指示する印刷データ送信手段と、
を備え、前記算出手段は、前記変換精度取得手段により取得された変換精度が、予め定められた許容範囲外となる低変換精度値を求めることを特徴とする請求項５から請求項１４の何れか１項に記載の印刷装置。
【請求項１７】
パッチデータの入力値と、前記パッチデータに基づいて記録媒体上に形成したパッチの出力値と、に基づいた画像の色に関する変換精度を、前記パッチデータの入力値毎に算出し、当該算出した変換精度が、予め定められた許容範囲外となる前記パッチデータの入力値を含む低変換精度帯として算出する算出手段と、
前記算出手段により算出された前記低変換精度帯を記憶する記憶手段と、
前記パッチデータとは異なる印刷データが入力された場合に、当該印刷データが、前記記憶手段に記憶されている前記低変換精度帯と一致する入力値を含むか否かを判定し、当該印刷データが前記低変換精度帯と一致する入力値を含まないと判定したときに、当該印刷データの印刷を指示する判定手段と、
を備えたことを特徴とする印刷装置。
【発明の詳細な説明】
【技術分野】
【０００１】
本発明は、印刷装置に関する。
【背景技術】
【０００２】
ダイレクトメール毎に顧客のニーズに応じた広告を載せたり、局所的に展開する広告やチラシ等の印刷を行なう商業印刷の分野では、近年、トナーを使用したカラー高速プリンタ等の印刷装置が用いられている。
【０００３】
このような印刷装置では、一般的に、オリジナル画像をより忠実に再現するためにホスト装置から入力したオリジナル画像の印刷データに対し、印刷装置の特性に応じたカラーデータ変換処理を施してから印刷を行なう。例えば、カタログや新聞広告等のように、色彩や色調が宣伝効果に多大な影響を持つ商業分野においては、より厳しい基準で色再現性能を求められる。
【０００４】
従来より、色再現性能を高めるために、第１色空間データ（ホスト装置の色空間）を第２色空間データ（印刷装置の色空間）に変換する色変換テーブルを調整する技術が知られている（例えば、特許文献１参照）。
【特許文献１】特開２００３−１２５２２１号公報
【発明の開示】
【発明が解決しようとする課題】
【０００５】
ところで、このような印刷装置では、色再現性や色再現域が様々な要因により変化する。例えば、熱で融解したトナーを記録媒体上に定着させる定着装置では、カラー画像に高速に熱エネルギーを印可するためにキセノンランプを使用したフラッシュ定着方式を用いるが、赤外線吸収率を良くするためにトナーに混入させる熱吸収剤の影響により色再現域が狭くなる。また、使用する記録媒体の色や性質、例えば、新聞用紙を使用する場合等は、下地の色の影響で色再現領域が狭くなることがある。このように、単に色変換テーブルを調整するだけでは、画像の色を忠実に再現できずに、色再現性が悪い場合がある。
【０００６】
本発明は、印刷された画像の色再現性が悪い場合に適正に対応することができる印刷装置を提供することを目的とする。
【課題を解決するための手段】
【０００７】
上記目的を達成するために、請求項１に記載の印刷装置は、パッチデータの入力値と、前記パッチデータに基づいて記録媒体上に形成したパッチの出力値と、に基づいた画像の色に関する変換精度を、前記パッチデータの入力値毎に算出し、当該算出した変換精度が、予め定められた許容範囲外となる前記パッチデータの入力値を低変換精度値として算出する算出手段と、前記算出手段により算出された前記低変換精度値を記憶する記憶手段と、前記パッチデータとは異なる印刷データが入力された場合に、当該印刷データが、前記記憶手段に記憶されている前記低変換精度値と一致する入力値を含むか否かを判定し、当該印刷データが前記低変換精度値と一致する入力値を含まないと判定したときに、当該印刷データの印刷を指示する判定手段と、を備えたことを特徴とする。
【０００８】
請求項２に記載の印刷装置は、請求項１に記載の印刷装置において、前記算出手段は、前記画像の色の濃度に関する変換精度を算出することを特徴とする。
【０００９】
請求項３に記載の印刷装置は、請求項１または請求項２に記載の印刷装置において、前記変換精度は、予め定められた基準値との差分であることを特徴とする。
【００１０】
請求項４に記載の印刷装置は、請求項１から請求項３の何れか１項に記載の印刷装置において、前記許容範囲を設定する設定手段を備えたことを特徴とする。
【００１１】
請求項５に記載の印刷装置は、請求項１から請求項４の何れか１項に記載の印刷装置において、前記印刷データに含まれる、前記低変換精度値と一致する入力値のデータ量を、所定の単位毎に計測する低変換精度データ量計測手段と、前記低変換精度データ量計測手段により計測されたデータ量が予め定められた逸脱量閾値を越えるか否かを判断する逸脱量閾値判断手段と、を備えたことを特徴とする。
【００１２】
請求項６に記載の印刷装置は、請求項５に記載の印刷装置において、前記所定の単位は、ページ毎であることを特徴とする。
【００１３】
請求項７に記載の印刷装置は、請求項５または請求項６に記載の印刷装置において、前記逸脱量閾値を予め定めるための逸脱量閾値設定手段を備えたことを特徴とする。
【００１４】
請求項８に記載の印刷装置は、請求項５から請求項７の何れか１項に記載の印刷装置において、前記逸脱量閾値判断手段により逸脱量閾値を越えると判断された前記所定の単位毎の印刷データを記憶する低変換精度印刷データ記憶手段を備えたことを特徴とする。
【００１５】
請求項９に記載の印刷装置は、請求項８に記載の印刷装置において、前記低変換精度印刷データ記憶手段に記憶した前記所定の単位毎の印刷データの印刷を指示する低変換精度印刷データ印刷指示手段を備えたことを特徴とする。
【００１６】
請求項１０に記載の印刷装置は、請求項９に記載の印刷装置において、前記低変換精度印刷データ印刷指示手段は、前記所定の単位毎の印刷データを低変換精度値と一致する入力値と前記予め定められた基準値との差に基づく順序及び、前記低変換精度データ量計測手段により計測されたデータ量に基づく順序の少なくとも一方により印刷するように指示することを特徴とする。
【００１７】
請求項１１に記載の印刷装置は、請求項９または請求項１０に記載の印刷装置において、前記低変換精度印刷データ印刷指示手段が印刷すべき前記所定の単位の印刷データ、及び前記印刷データの前記所定単位毎の印刷順序の少なくとも一方を設定する印刷指示設定手段を備えたことを特徴とする。
【００１８】
請求項１２に記載の印刷装置は、請求項９から請求項１１の何れか１項に記載の印刷装置において、前記低変換精度印刷データ印刷指示手段は、前記逸脱量閾値判断手段により逸脱量閾値を越えると判断された前記所定の単位のデータと同一のデータが複数有る場合は、一つのデータのみ印刷するよう指示することを特徴とする。
【００１９】
請求項１３に記載の印刷装置は、請求項９から請求項１２の何れか１項に記載の印刷装置において、前記印刷指示手段は、前記逸脱量閾値判断手段により逸脱量閾値を越えると判断された前記所定の単位毎に、予め定められたマークを印刷するよう指示することを特徴とする。
【００２０】
請求項１４に記載の印刷装置は、請求項８から請求項１３の何れか１項に記載の印刷装置において、前記低変換精度印刷データ記憶手段に記憶した印刷データを前記所定の単位毎に削除する削除手段を備えたことを特徴とする。
【００２１】
請求項１５に記載の印刷装置は、請求項１から請求項１４の何れか１項に記載の印刷装置において、他の印刷装置の変換精度を取得する変換精度取得手段を備え、前記算出手段は、前記変換精度取得手段により取得された変換精度が、予め定められた許容範囲外となる低変換精度値を求めることを特徴とする。
【００２２】
請求項１６に記載の印刷装置は、請求項５から請求項１４の何れか１項に記載の印刷装置において、他の印刷装置の変換精度を取得する変換精度取得手段と、前記判定手段により、印刷データが前記低変換精度値と一致する入力値を含まないと判定された場合、または、前記逸脱量閾値判断手段により、逸脱量閾値を越えないと判断された場合に、前記他の印刷装置に前記印刷データを送信するとともに、当該印刷データの印刷を指示する印刷データ送信手段と、を備え、前記算出手段は、前記変換精度取得手段により取得された変換精度が、予め定められた許容範囲外となる低変換精度値を求めることを特徴とする。
請求項１７に記載の印刷装置は、パッチデータの入力値と、前記パッチデータに基づいて記録媒体上に形成したパッチの出力値と、に基づいた画像の色に関する変換精度を、前記パッチデータの入力値毎に算出し、当該算出した変換精度が、予め定められた許容範囲外となる前記パッチデータの入力値を含む低変換精度帯として算出する算出手段と、前記算出手段により算出された前記低変換精度帯を記憶する記憶手段と、前記パッチデータとは異なる印刷データが入力された場合に、当該印刷データが、前記記憶手段に記憶されている前記低変換精度帯と一致する入力値を含むか否かを判定し、当該印刷データが前記低変換精度帯と一致する入力値を含まないと判定したときに、当該印刷データの印刷を指示する判定手段と、を備えたことを特徴とする。
【発明の効果】
【００２３】
請求項１から請求項３、及び請求項１７に記載の本発明によれば、入力された印刷データの変換精度が判定できるため、印刷された画像の色再現性が悪い場合に適正に対応することができる、という効果が得られる。
【００２４】
請求項４に記載の本発明によれば、ユーザの所望により変換精度閾値を設定することができる、という効果が得られる。
【００２５】
請求項５及び請求項６に記載の本発明によれば、データ量により印刷された画像の色再現性の判断をすることができる、という効果が得られる。
【００２６】
請求項７に記載の本発明によれば、印刷された画像の色再現性の判断をするためのデータ量を設定することができる、という効果が得られる。
【００２７】
請求項８に記載の本発明によれば、低変換精度印刷データを纏めて記憶することができる、という効果が得られる。
【００２８】
請求項９に記載の本発明によれば、記憶している低変換精度印刷データを印刷することができる、という効果が得られる。
【００２９】
請求１０に記載の本発明によれば、色再現性に基づく順序で印刷をすることができる、という効果が得られる。
【００３０】
請求項１１に記載の本発明によれば、印刷を行なうか否か、及び印刷順序の少なくとも一方の印刷指示の設定をユーザが行なうことができる、という効果が得られる。
【００３１】
請求項１２に記載の本発明によれば、重複するデータの印刷を抑止することができる、という効果が得られる。
【００３２】
請求項１３に記載の本発明によれば、色再現性の悪い部分をユーザに報知することができる、という効果が得られる。
【００３３】
請求項１４に記載の本発明によれば、不要な印刷データを記憶手段から削除することができる、という効果が得られる。
【００３４】
請求項１５に記載の本発明によれば、入力された印刷データを他の装置で印刷した場合の変換精度が判定できる、という効果が得られる。
【００３５】
請求項１６に記載の本発明によれば、色再現性の良い画像を得ることができる、という効果が得られる。
【発明を実施するための最良の形態】
【００３６】
［第１の実施の形態］
以下、図面を参照して本発明の実施の形態を詳細に説明する。
【００３７】
図１は、本実施の形態に係る印刷装置１０の概略構成を示す図である。本実施の形態に係る印刷装置１０は、イエロー（Ｙ）、マゼンタ（Ｍ）、シアン（Ｃ）、ブラック（Ｋ）の各色のトナー画像をそれぞれ記録媒体２４の表面に転写することによりカラー画像を記録媒体２４上に形成するものである。なお、ＹＭＣＫを区別する必要がある場合は、符号の後にＹ、Ｍ、Ｃ、Ｋの何れかを付して説明し、ＹＭＣＫを区別する必要が無い場合は、Ｙ、Ｍ、Ｃ、Ｋを省略する。
【００３８】
本実施の形態の印刷装置１０は、印刷部１２と、印刷部１２に記録媒体（本実施の形態では一例としてロール紙を用いる）２４を供給するための給紙装置２６、及び排紙装置２８を備える。
【００３９】
印刷部１２は、印刷機構部１４Ｙ、１４Ｍ、１４Ｃ、１４Ｋ、制御部２０、印刷機構制御部２１、定着器２２、及び測色データ測定部２３を備える。
【００４０】
印刷部１２には、給紙装置２６に近い方から順に、印刷機構部１４Ｙ、１４Ｍ、１４Ｃ、１４Ｋが配置されている。各色の印刷機構部１４はそれぞれ、像担持体（感光体）１８及び画像形成部１６を含んでいる。画像形成部１６は、像担持体１８の表面を帯電させる帯電装置（図示省略）、光走査装置（図示省略）等により像担持体１８の表面をホスト装置３０から入力された印刷データ（画像データ）に基づいて露光して潜像を形成する露光装置（図示省略）、像担持体１８の表面に形成された潜像上にトナーを付着させてトナー像を形成する現像装置（図示省略）、及び記録媒体２４上に転写されずに像担持体１８の表面に残留した未転写残留トナーを掻き落として除去するクリーニング装置（図示省略）等を含んで構成されている。
【００４１】
制御部２０は、ホスト装置３０から入力された印刷データをビットマップデータに変換し、印刷機構制御部２１に印刷データに基づく画像を記録媒体２４上に形成するように指示する。印刷機構制御部２１は、制御部２０からの指示に従って、印刷機構部１４Ｙ、１４Ｍ、１４Ｃ、１４Ｋを駆動する。定着器２２は、記録媒体２４上にトナー像を定着させるためものであり、例えば、記録媒体２４のトナー像形成面にフラッシュ光を照射させて、未定着トナーを加熱して溶融し、その後、凝固することにより記録媒体２４上にトナー像を定着させる。
【００４２】
測色データ測定部２３は、記録媒体２４上に形成されたカラー画像を測色し、色の分布を各種表色系等に基づいて数値化された測色値として表す。本実施の形態では、一例として、Ｙ、Ｍ、Ｃ、Ｋ、各色の濃度値を測色データとして出力する。
【００４３】
次に、図２を参照して本実施の形態に係る印刷装置１０について詳細に説明する。図２は、本実施の形態に係る印刷装置１０の概略構成を示すブロック図である。
【００４４】
本実施の形態に係る印刷装置１０は、印刷機構部１４、制御部２０、印刷機構制御部２１、測色データ測定部２３、及び操作パネル（表示装置）６８を備えている。
【００４５】
制御部２０は、ＣＰＵ５０、ＲＯＭ５２、ＲＡＭ５４、ＮＶＲＡＭ５６、変換低精度ページエントリー判断部（重複ページ排他制御部）５８、精度レベル判定部６０、他装置データ変換精度情報入出力部６２、ホストＩ／Ｆ（ホストインターフェイス）６４、ＧＵＩ−Ｉ／Ｆ（グラフィックユーザインターフェイス）６６、ＨＤＤ７０、パッチデータ印刷制御部７２、印刷マーク生成部７４、イメージデータ変換部７６、補正データ作成部７８、及び測色データ入力部７９を含んでいる。
【００４６】
ＣＰＵ５０は、印刷装置１０を制御するものであり、詳細を後述するメイン処理等の各種処理が実行される。これらの処理プログラムは、記録媒体としてのＲＯＭ５２に記憶されている。なお、これらの処理プログラムは、ＣＤ−ＲＯＭ（図示省略）や、ＤＶＤ−ＲＯＭ（図示省略）等の記録媒体に記録しておき、ＨＤＤ７０等にインストールし、ＣＰＵ５０により読込まれて実行されるようにしてもよい。
【００４７】
精度レベル判定部６０は、変換精度レベルを変換精度閾値に基づいて判定（詳細後述）し、また、印刷データ量が精度範囲逸脱量閾値を越えるか否かを判定（詳細後述）する。変換低精度ページエントリー判断部（重複ページ排他制御部）５８は、低変換精度と判定されたデータを重複印刷しないように制御（詳細後述）する。
【００４８】
他装置データ変換精度情報入出力部６２は、他装置８２との間でデータ変換精度情報（詳細後述）を入出力する。
【００４９】
ホストＩ／Ｆ６４は、ホスト装置３０との間で印刷指示及び印刷データを通信するためのネットワークインターフェイスである。ＧＵＩ−Ｉ／Ｆ（グラフィックユーザインターフェイス）６６は、ユーザ等により操作パネル６８を介して、印刷指示等を通信するためのネットワークインターフェイスである。操作パネル６８は、ユーザが表示された情報等を選択指示することにより、印刷に関する各種設定、指示を行なうためのものであり、そのため、本実施の形態では、表示装置も兼ねている。
【００５０】
ＨＤＤ７０は、詳細を後述する、パッチデータ（基準値）、低変換精度帯、変換精度閾値、補正データ、精度範囲逸脱量閾値、低変換精度帯がある印刷データ、識別コード、印刷設定のデフォルト値等を記憶する。
【００５１】
パッチデータ印刷制御部７２及び印刷マーク生成部７４は、それぞれパッチデータ（詳細後述）及び低変換精度データを示す印刷マーク（詳細後述）を記録媒体２４上に印刷するように印刷機構制御部２１に指示し、印刷機構制御部２１は、印刷機構部１４を駆動させて、記録媒体２４上に指示に基づく画像を形成する。
【００５２】
イメージデータ変換部７６は、補正テーブルによりパッチデータや入力値をデータ変換する。
【００５３】
測色データ入力部７９には、測色データ測定部２３により測定されたパッチデータ（詳細後述）の測色データが入力され、補正データ作成部７８は測色データ入力部７９から測色データが入力されると、当該測色データに基づいて補正データ（詳細後述）を作成する。
【００５４】
ＣＰＵ５０、ＲＯＭ５２、ＲＡＭ５４、ＮＶＲＡＭ５６、変換低精度ページエントリー判断部（重複ページ排他制御部）５８、精度レベル判定部６０、他装置データ変換精度情報入出力部６２、ホストＩ／Ｆ６４、ＧＵＩ−Ｉ／Ｆ６６、ＨＤＤ７０、パッチデータ印刷制御部７２、印刷マーク生成部７４、イメージデータ変換部７６及び補正データ作成部７８は、コントロールバスやデータバス等のバス８０を介して、互いに情報等の授受が可能に接続されている。
【００５５】
次に、本実施の形態の印刷装置１０で実行される制御処理について図３〜図１３を参照して詳細に説明する。
【００５６】
（メイン処理）
まず、図３を参照して、本実施の形態の印刷装置１０で実行されるメイン処理について詳細に説明する。図３は、印刷装置１０で実行されるメイン処理のフローチャートである。なお、本処理は、例えば、印刷装置１０の電源が投入された場合等に実行される。
【００５７】
ステップ１００では、変換精度レベルを判定するか否か判断する。既に変換精度レベルが判定され、判定結果がＨＤＤ７０に記憶されている場合等は否定されて、ステップ１０４へ進む。一方、変換精度レベルを判定する場合は肯定されて、ステップ１０２へ進み、本実施の形態の印刷装置１０の変換精度レベルを判定するための変換精度レベル判定処理（詳細後述）を実行して変換精度レベルを判定した後、ステップ１０４へ進む。
【００５８】
ステップ１０４では、ホスト装置３０から印刷データが入力されたか否かを判断する。印刷データが入力されていない場合は否定されて、ステップ１１４へ進む。一方、ホスト装置３０から印刷データが入力された場合は肯定されて、ステップ１０６へ進む。
【００５９】
ステップ１０６では、入力された印刷データの変換精度を判定するための印刷データ変換精度判定処理（詳細後述）を実行して印刷データの変換精度を判定した後、ステップ１０８へ進む。ステップ１０８では、印刷データを印刷するための印刷処理（詳細後述）を実行して印刷処理を行なった後、ステップ１１０へ進む。
【００６０】
ステップ１１０では、その他の処理（詳細後述）を実行するか否かを判断する。実行しない場合は否定されて、ステップ１１４へ進む。一方、その他の処理を実行する場合は肯定されて、ステップ１１２へ進む。ステップ１１２では、その他処理を実行した後、ステップ１１４へ進む。
【００６１】
ステップ１１４では、本処理を終了するか否かを判断する。終了しない場合は否定されて、ステップ１０４に戻り、本処理を繰り返す。一方。例えば、印刷装置１０の電源をオフする場合等は肯定されて、本処理を終了する。
【００６２】
（変換精度レベル判定処理）
次に、変換精度レベル判定処理（図３に示すメイン処理のステップ１０２の処理）について、図４〜図９を参照して詳細に説明する。
【００６３】
変換精度とは、本実施の形態の印刷装置１０において、入力された印刷データを印刷装置１０の出力特性に基づいて変換したときの変換精度であり、色再現性を表すものである。本実施の形態では、入力された印刷データの入力値と、当該印刷データに基づいて記録媒体２４上に形成された画像を測色データ測定部２３で測定した測定データ（出力値）とに基づくものである。
【００６４】
例えば、図４に一例を示す従来の印刷データ変換では、Ｙ＝３、Ｍ＝５、Ｃ＝８の濃度値（入力値）のベタを印刷（デバイス処理）して、記録媒体上にベタ画像を形成し、ベタ画像の測色データを測定した結果の出力値がＹ＝１、Ｍ＝５、Ｃ＝９であった場合、入力値と出力値との差分により補正テーブルを作成する。図４の場合は、補正テーブルは、Ｙ＝＋２、Ｍ＝０、Ｃ＝−９となる。この補正テーブルにより入力値（印刷データ）をデータ変換し、データ変換後の印刷データに対し、デバイス処理を行なうようにする。ここでは、データ変換後の印刷データはＹ’＝５、Ｍ’＝５、Ｃ’＝−７となり、当該データ変換後の印刷データをデバイス処理した補正出力値はＹ＝３、Ｍ＝５、Ｃ＝８となり、入力値（印刷データ）と一致するため、変換精度は高い。一方、図５に一例を示すデータ変換の場合、図６に示した入力値（パッチデータ）９０と、補正テーブル９４と、補正出力値９８と、の関係からもわかるように、入力値と補正出力値とが一致しない、変換精度（色再現性）が低い場合がある。そこで本処理では、印刷装置１０の変換精度のレベルを判定する。なお、変換精度レベルは、印刷装置毎に異なり、例えば、記録媒体２４の地色等によっても異なる。
【００６５】
図７は、変換精度レベル判定処理の一例を示すフローチャートである。ステップ２００では、パッチデータ９０の印刷をパッチデータ印刷制御部７２に指示する。本実施の形態では１ページを２５分割し、各区分毎に色成分の濃度を１〜２５まで設定したパッチデータ９０を用いているが、これに限らず、より再分割し、細分化した濃度毎に変換精度レベルを判定することが好ましい。
【００６６】
次のステップ２０２では、記録媒体２４上に形成されたパッチデータ出力（パッチデータ画像）を測色するよう、補正データ作成部７８に指示する。補正データ作成部７８は、当該指示により、測色データ入力部７９を介して、測色データ測定部２３に記録媒体２４上に形成されたパッチデータ９０を測色するように指示する。
【００６７】
次のステップ２０４では、測色データ（パッチデータ９０の出力値９２）の入力が完了したか否かを判断する。完了していない場合は待機状態となり、完了すると肯定されて、ステップ２０６へ進む。ステップ２０６では、入力された測色データ（出力値９２）から近似値を算出するように、さらに次のステップ２０８では、近似値により補正テーブル９４を作成するように、補正データ作成部７８に指示する。当該指示により、補正データ作成部７８は、出力値９２から近似値を算出し、補正データ９４を作成する。なお近似値の算出は、印刷装置１０の色域等を考慮し、色変換マトリクスや印刷装置１０の色プロファイル情報等を用いて行なう。
【００６８】
次のステップ２１０では、作成された補正テーブル９４によりパッチデータ９０を変換するようイメージデータ変換部７６に指示する。当該指示によりイメージデータ変換部７６は、補正テーブル９４によりパッチデータ９０をデータ変換し、データ変換後のパッチデータ９６を出力する。
【００６９】
次のステップ２１２では、データ変換後のパッチデータ９６を印刷するようパッチデータ印刷制御部７２に指示し、次のステップ２１４では、記録媒体２４上に形成されたデータ変換後のパッチデータ９６を測色するよう、補正データ作成部７８に指示する。
【００７０】
そして、次のステップ２１６では、測色データ（データ変換後のパッチデータ９６の補正出力値９８）の入力が完了したか否かを判断する。完了していない場合は待機状態となり、完了すると肯定されて、ステップ２１８へ進む。
【００７１】
ステップ２１８では、パッチデータ９０と補正出力値９８との差分を算出するよう精度レベル判定部６０に指示し、さらに次のステップ２２０では、変換精度レベルを判定し、変換精度レベルが低いと判定された入力値（入力値の範囲）をＨＤＤ７０に記憶した後、本処理を終了する。
【００７２】
当該指示により、精度レベル判定部６０は、まず、パッチデータ９０と補正出力値９８との差分９９を算出する。本実施の形態の印刷装置１０における入力値９０と出力値（補正出力値）９８との差分及び期待値（入力値＝出力値）を図８に示す。図８に示すように、本実施の形態の印刷装置１０では、差分が大きいところ及び中程度のところが各２カ所ある。そして、次に、精度レベル判定部６０は、予め定められている変換精度閾値に基づいて変換精度レベルを判定する。この変換精度レベルの判定について図９を参照して詳細に説明する。なお、変換精度閾値とは、色再現性の許容範囲を表すものであって、ユーザの見た目上殆ど変わらない等、入力値＝出力値でなくても、許容できる範囲を表すものであり、予め定められ、ＨＤＤ７０に記憶（設定）されている。なお、変換精度閾値は、一般的に、色再現性の許容範囲とされる閾値をＨＤＤ７０に予め記憶させておいても良いし、また、ユーザが補正出力値９８に基づいて色再現性を判断し、色再現性に問題が無いと判断した領域を変換精度閾値として、操作パネル６８等によりＧＵＩ−Ｉ／Ｆ６６を介して設定し、設定された変換精度閾値をＨＤＤ７０に予め記憶させておいても良い。図９に示す、本実施の形態の場合では、補正出力値９８が期待値±２の閾値範囲帯を越える場合を変換精度レベルが低い場合としている。従って、精度レベル判定部６０は、入力値が１〜３の範囲及び２１〜２３の範囲を低変換精度帯と判定し、ＨＤＤ７０に記憶する。
【００７３】
なお、変換精度レベルは、Ｙ、Ｍ、Ｃ、Ｋの各色毎に異なるため、各色毎に変換精度レベル判定処理を行い（本実施の形態の印刷装置１０の場合は４回）、変換精度レベルの判定及び記憶を行なうことが好ましいが、４色同時に行なってもよい。
【００７４】
なお、本実施の形態の印刷装置１０の印刷情報として、変換精度レベルを操作パネル６８に表示させるようにしてもよい。
【００７５】
（印刷データ変換精度判定処理）
次に、印刷データ変換精度判定処理（図３に示すメイン処理のステップ１０６の処理）について、図１０及び図１１を参照して詳細に説明する。
【００７６】
印刷データ変換精度とは、所定の単位（本実施の形態では１ページ）毎の印刷データの変換精度であり、各入力値毎の印刷データ量に基づいて判定される。
【００７７】
図１０は、印刷データ変換精度判定処理の一例を示すフローチャートである。ステップ３００では、ホスト装置３０から入力された印刷データから１ページ分の印刷データを取得し、次のステップ３０２では、取得した印刷データについて、入力値に対応するデータ量を計測する。データ量の計測は、例えば、入力値毎に対応するカウンタ（図示省略）を設けておき、当該カウンタをカウントアップする等して計測する。
【００７８】
そして、次のステップ３０４では、ＨＤＤ７０に記憶されている変換精度閾値を越えるデータが有るか否かを判断するよう精度レベル判定部６０に指示する。本実施の形態では、低変換精度帯である入力値が１〜３の範囲及び２１〜２３の範囲に該当する印刷データが有るか否かを判断する。無い場合は否定されて、ステップ３０６へ進む。ステップ３０６では、低変換精度帯に印刷データが無いと判定した後、ステップ３１８へ進む。
【００７９】
一方、低変換精度帯に印刷データが有る場合は肯定されて、ステップ３０８へ進む。ステップ３０８では、精度範囲逸脱量閾値をＨＤＤ７０から読取り、次のステップ３１０では、精度範囲逸脱量閾値を越えるデータが有るか否かを判断する。精度範囲逸脱量閾値を越えるデータが低変換精度帯に有るか否かの判断について図１１を参照して詳細に説明する。例えば、低変換精度帯に存在する印刷データであっても、形成される画像が小さい等で当該画像の印刷データ量が少ない場合、記録媒体２４上に形成された画像の色再現性について問題が無いと判断できる場合がある。そこで、記録媒体２４上に形成された画像の色再現性について問題があるか否かを印刷データのデータ量により判断するために精度範囲逸脱量閾値を設け、データ量が精度範囲逸脱量閾値を越える場合は色再現性に問題が生じると判断する。精度範囲逸脱量閾値が図１１（Ａ）に示す精度範囲逸脱量閾値Ａの場合では、低変換精度帯にあるデータ量が精度範囲逸脱量閾値Ａを越えていないため否定されて、ステップ３０６へ進み、低変換精度帯に印刷データが無いと判定される。このように、本実施の形態においては、実際には低変換精度帯に印刷データが有るのだが、色再現性の観点から問題にならないと判断されるため、ここでは低変換精度帯に印刷データが無いとみなす判定をする。
【００８０】
一方、精度範囲逸脱量閾値が図１１（Ｂ）に示す精度範囲逸脱量閾値Ｂの場合では、低変換精度帯にあるデータ量が精度範囲逸脱量閾値Ｂを越えているため肯定されて、ステップ３１２へ進む。
【００８１】
精度範囲逸脱量閾値は値が小さいほど、色再現性の判断が厳しいことを示している。図１１の場合、（Ａ）に示す精度範囲逸脱量閾値Ａよりも（Ｂ）に示す精度範囲逸脱量閾値Ｂの方が値が小さく、（Ａ）に比べて少量の印刷データであっても色再現性に問題があると判断し、低変換精度帯に印刷データが有ると判定する。精度範囲逸脱量閾値は、例えば、高解像度や写真画等の場合は、値を小さくして、色再現性の判断を厳しく行なうように、また、グラフィックや文字等の場合は、値を大きくして、色再現性の判断を甘くするように設定することができる。なお、精度範囲逸脱量閾値の設定は、ユーザが操作パネル６８等によりＧＵＩ−Ｉ／Ｆ６６を介して、精度範囲逸脱量閾値を指示したり、印刷モード（高解像度、グラフィック等）を選択指示することにより設定し、設定された精度範囲逸脱量閾値をＨＤＤ７０に予め記憶しておく。
【００８２】
次のステップ３１４では、印刷データに個々の印刷データを識別するための識別コードを付与し、次のステップ３１６では、印刷データと共に識別コードをＨＤＤ７０に記憶する。なお、識別コードは、印刷ジョブ名、印刷データのページ番号情報と共に記憶される。また、詳細を後述する印刷処理において、印刷順序を指定する場合等を考慮して、変換精度レベルや、印刷データの入力値と変換精度閾値との差分や、精度範囲逸脱量閾値を越えるデータ量等も記憶しておくことが好ましい。さらに、媒体情報、解像度、及び閾値設定情報等も記憶するようにしても良い。
【００８３】
そして、次のステップ３１８では、全ページ終了したか否かを判断する。まだ、印刷データ変換精度の判定を行なっていないページ（印刷データ）がある場合は否定されて、ステップ３００に戻り、他のページの印刷データについて、印刷データ変換精度の判定を行なう。一方、入力された印刷データの全ページについて印刷データ変換精度の判定を行なった場合は肯定されて、本処理を終了する。
【００８４】
（印刷処理）
次に、印刷処理（図３に示すメイン処理のステップ１０８の処理）について、図１２を参照して詳細に説明する。
【００８５】
図１２は印刷処理の一例を示すフローチャートである。ステップ４００では、まず、ホスト装置３０から入力された印刷データのうち、低変換精度帯が無い印刷データ（ページ）を印刷するよう印刷機構制御部２１に指示する。当該指示により、低変換精度帯が無いページ、即ち、色再現性に問題が無いと判定されたページが印刷機構部１４により記録媒体２４上に印刷され、出力される。
【００８６】
次のステップ４０２では、低変換精度帯が有る印刷データが有るか否か判断する。入力された印刷データの全てのページにおいて、低変換精度帯が有るデータが無い（色再現性に問題が無いと判定された）場合は否定されて、本処理を終了する。一方、低変換精度帯が有る印刷データ（ページ）が有る場合は肯定されて、ステップ４０４へ進む。
【００８７】
ステップ４０４では、他の印刷装置８２を選択する（他の印刷装置８２で印刷する）か否かを判断する。他の印刷装置８２を選択する旨の指示が入力されていない場合は否定されて、ステップ４０６へ進む。ステップ４０６では、印刷順序等の印刷モードの選択が有るか否かを判断する。印刷モードの選択が無い場合は否定されて、ステップ４０８へ進み、ステップ４０８では、例えば、ページ番号順に印刷を実行する等の印刷用のデフォルト設定をＨＤＤ７０から読取り、付与されている識別コードの情報に基づいて印刷データを並べ替え（印刷順序生成）、ステップ４２２へ進む。
【００８８】
一方、印刷モードの選択指示がユーザから、操作パネル６８によりＧＵＩ−Ｉ／Ｆ６６を介して入力された場合は肯定されて、ステップ４１０へ進む。ステップ４１０では、入力された指示（印刷モード）が変換精度レベル順に印刷する指示か否か判断する。印刷モードが変換精度レベル順に印刷する指示の場合は肯定されて、ステップ４１２へ進み、ステップ４１２では、変換精度レベル順の印刷設定、例えば、変換精度が低いものから印刷する等の設定を読取り、印刷順序を生成し、ステップ４２２へ進む。一方、変換精度レベル順が指定されていない場合は否定されて、ステップ４１４へ進む。
【００８９】
ステップ４１４では、印刷モードが閾値逸脱データ量順か否か判断する。閾値逸脱データ量順に印刷する場合は肯定されて、ステップ４１４へ進み、ステップ４１４では、逸脱データ量順の印刷設定、例えば、逸脱データ量が多い、即ち変換精度が低いデータが多いものから印刷する等の設定を読取り、印刷順序を生成し、ステップ４２２へ進む。一方、閾値逸脱データ量順が指定されていない場合は否定されて、ステップ４１８へ進む。
【００９０】
ステップ４１８では、印刷モードがユーザ選択順か否か判断する。ユーザの選択順に印刷する場合は肯定されて、ステップ４２０へ進み、ステップ４２０では、ユーザの選択順等の印刷設定を読取り、印刷順序を生成し、ステップ４２２へ進む。一方、ユーザ選択順が指定されていない場合は否定されて、ステップ４２２へ進む。
【００９１】
ステップ４２２では、その他の設定指示を読取り、指示に従って設定する。例えば、上記以外の印刷順序が設定指示された場合は、当該設定指示に従って印刷順序を生成する。また、数ページおきに印刷する等の間引印刷が設定指示された場合は、当該設定指示に従って印刷順序を生成する。さらに、ユーザが特定のページのみの印刷を指示した場合は、当該指示に該当するページのみ印刷するようにする。
【００９２】
次のステップ４２４では、低変換精度帯が有ると判定された印刷データと同一の印刷データを含むページが他にあった場合、当該ページを重複して印刷するのを抑止するための重複抑止設定指示がされているか否かを判断する。重複防止が設定されていない場合は否定されて、ステップ４２８へ進む。一方、重複防止の選択指示がユーザから、操作パネル６８によりＧＵＩ−Ｉ／Ｆ６６を介して入力された場合は肯定されて、ステップ４２６へ進む。ステップ４２６では、重複抑止設定指示を読取り、変換低精度ページエントリー判断部（重複ページ排他制御部）５８に、重複ページの排他指示をする。これにより、変換低精度ページエントリー判断部５８は、低変換精度帯が有ると判定された印刷データと同一の印刷データを含むページが複数あった場合、一ページのみを印刷するよう印刷機構制御部２１による印刷を制御する。このように、本実施の形態の印刷装置１０では、重複データ（ページ）の印刷を抑止できるため、記録媒体２４の消費を低減でき、また、印刷工数の削減が可能になる。
【００９３】
次のステップ４２８では、各設定に従って低変換精度帯が有る印刷データの印刷を実行するよう印刷機構制御部２１に指示した後、本処理を終了する。当該指示により、印刷機構制御部２１は、印刷機構部１４を駆動させ、上記処理により指示された設定や印刷順序により、ＨＤＤ７０に記憶されている、低変換精度帯が有る印刷データの印刷を実行する。なお、印刷の際に、印刷ジョブ名や、ページ番号等の印刷情報も一緒に印刷するようにしても良い。またこの場合、重複抑止が設定されているときは、抑止により印刷を実行しなかったページの印刷ジョブ名や、ページ番号等を対応するページに一緒に印刷するようにしても良い。
【００９４】
また、本実施の形態の印刷装置１０では、印刷マーク生成部７４により生成された印刷マーク（例えば、丸印や、矢印等の予め定められた印）を共に印刷する。これにより、ユーザに対し、色再現性が悪いと判断された部分を報知することができる。
【００９５】
なお、ユーザが印刷モードの選択や印刷順序の選択等を行ないやすくするために、操作パネル６８に、例えば、ページ番号、変換精度レベル、閾値逸脱データ量等、各低変換精度印刷データ（印刷ページ）の情報を表示させるようにしても良い。
【００９６】
このように上記ステップ４００からステップ４２８の処理により、ホスト装置３０から入力された印刷データが本実施の形態の印刷装置１０で印刷され、出力される。なお、低変換精度帯が無い印刷データ（色再現性に問題が無い印刷データ）の印刷を行なわずに、例えば、ユーザが色再現性をチェックする等のために、低変換精度帯が有る印刷データ（色再現性が悪いと判断された印刷データ）の印刷のみを行なうようにしても良い。
【００９７】
一方、ステップ４０４において、他の印刷装置８２を選択する旨の指示がユーザから、操作パネル６８によりＧＵＩ−Ｉ／Ｆ６６を介して入力された場合は肯定されて、ステップ４３０へ進む。ステップ４３０では、他の印刷装置８２の選択を行なう。他の印刷装置８２が複数有る場合は、例えば、これらの印刷情報等を操作パネル６８に表示させ、ユーザが選択できるようにしても良いし、自動的に一つの他の印刷装置８２を選択するようにしても良い。
【００９８】
次のステップ４３２では、選択された他の印刷装置８２から当該他の印刷装置８２の変換精度レベル（低変換精度帯）及び精度範囲逸脱量閾値を取得する。
次のステップ４３４では、印刷装置１０において低変換精度帯が有る印刷データの入力値が、他の印刷装置８２の低変換精度帯に、該当しているか否かを判断する。精度レベル判定部６０で判定した結果、印刷データが低変換精度帯を含まないと判定した場合は否定されて、ステップ４４０へ進む。一方、低変換精度帯を含むデータが有る場合は肯定されて、ステップ４３６へ進む。ステップ４３６では、低変換精度帯のデータ量が逸脱量閾値を越えるか否かを判断する。精度レベル判定部６０で判定した結果、データ量が逸脱量閾値を越えると判定した場合は肯定されて、ステップ４３８へ進む。ステップ４３８では、例えば、選択された他の印刷装置８２で印刷した場合に色再現性に不具合が生じる旨の表示等、エラー表示を操作パネル６８に表示するよう指示した後、ステップ４０４に戻り、他の印刷装置８２を選択するか否かを判断し、処理を繰り返す。
【００９９】
一方、ステップ４３６において、データ量が逸脱量閾値を越えない場合は否定されて、ステップ４４０へ進み、ステップ４４０では、印刷装置１０の低変換精度帯に印刷データが有る印刷データを印刷するよう、他の印刷装置８２に印刷指示した後、本処理を終了する。当該指示により、他の印刷装置８２により、印刷が実行される。なお、印刷装置１０では色再現性が悪い画像が得られると判断された印刷データだけではなく、全印刷データの印刷を他の印刷装置８２に実行させるようにしても良い。
【０１００】
また、本実施の形態では、他の印刷装置８２から当該印刷装置の変換精度レベル及び逸脱量閾値を取得しているが、変換精度レベル（変換精度閾値）及び逸脱量閾値を他の印刷装置８２に対して印刷装置１０から指示するようにしても良い。さらに、他の印刷装置８２に対しても印刷順序等の印刷モードの設定を行なうようにしても良い。
【０１０１】
このように、本実施の形態の印刷装置１０では、他の印刷装置８２で印刷した場合の変換精度レベル及び逸脱量閾値を取得できるので、色再現性の判断ができる。さらに、色再現性が悪い画像が得られると判断された印刷データであっても、他の印刷装置８２により印刷することができるので、色再現性の問題が無い出力画像が得られる。従って、高品質な印刷が可能になる。
【０１０２】
（その他処理）
次に、その他処理（図３に示すメイン処理のステップ１１２の処理）について、図１３を参照して詳細に説明する。
【０１０３】
その他処理とは、上記処理以外の印刷に関する処理のことであり、本実施の形態では、指定データを削除する処理（指定データ削除処理）について説明する。
【０１０４】
図１３は、その他処理（指定データ削除処理）の一例を示すフローチャートである。ステップ５００では、削除指示が入力されたか否かを判断する。まだ入力されていない場合は否定されて、待機状態になる。ＧＵＩ−Ｉ／Ｆ６６を介してユーザから削除指示が入力された場合は肯定されて、ステップ５０２へ進む。
【０１０５】
ステップ５０２では、ユーザから削除指示をされたページ番号を取得し、次のステップ５０４では、取得したページ番号に対応する印刷ページのデータをＨＤＤ７０から削除した後、本処理を終了する。
【０１０６】
このように、本実施の形態の印刷装置１０では、印刷データをＨＤＤ７０から削除することができるので、例えば、色再現性に問題が無いと判断された印刷データ等、記憶させておく必要のない印刷データの削除ができ、色再現性に問題が有ると判断された印刷データのみを記憶させておくことができる。
【０１０７】
なお、本実施の形態では、所定の単位として、印刷ページ毎に、印刷データ変換精度の判定等の処理を行なっているが、これに限らず、イメージ毎や、画像領域毎等、その他であっても良い。
【０１０８】
以上説明したように、本実施の形態の印刷装置１０では、精度レベル判定部６０により、変換精度と変換精度閾値とに基づいて、変換精度レベルを判定し、低変換精度帯を判定するため、ホスト装置３０から入力された印刷データに変換精度が低いデータ（色再現性の悪いデータ）が含まれているか否かを判定することができる。これにより、入力された印刷データに色再現性が悪いデータが含まれていた場合でも、適正に対応することができる。例えば、色再現性が悪いデータが含まれているか否かを自動的に認識することが可能なので、ユーザの確認作業が不用になる。
【０１０９】
また、精度レベル判定部６０は、入力された印刷データのデータ量と逸脱量閾値とに基づいてページ毎に印刷データ変換精度を判定しているので、より精度良く色再現性の良否の判断を行なうことができる。
【０１１０】
さらにまた、低変換精度帯に印刷データが有ると判定されたページを纏めてＨＤＤ７０に記憶するので、色再現性が悪いと判断されたページのみを印刷することができる。これにより、ユーザは、色再現性の確認が容易に行えるようになる。
【図面の簡単な説明】
【０１１１】
【図１】本発明の実施の形態に係る印刷装置の概略構成を示す図である。
【図２】本発明の実施の形態に係る印刷装置の概略構成を示す機能ブロック図である。
【図３】本発明の実施の形態に係る印刷装置で実行されるメイン処理のフローチャートである。
【図４】印刷データ変換の一例による変換精度レベルを説明するための説明図である。
【図５】印刷データ変換の一例による変換精度レベルを説明するための説明図である。
【図６】入力値（パッチデータ）と、補正テーブルと、補正出力値と、の関係を説明するための説明図である。
【図７】本発明の実施の形態に係る印刷装置で実行される変換精度レベル判定処理のフローチャートである。
【図８】変換精度レベルの判定を説明するための説明図である。
【図９】低変換精度帯を説明するための説明図である。
【図１０】本発明の実施の形態に係る印刷装置で実行される印刷データ変換精度判定処理のフローチャートである。
【図１１】変換精度閾値を説明するための説明図である。
【図１２】本発明の実施の形態に係る印刷装置で実行される印刷処理のフローチャートである。
【図１３】本発明の実施の形態に係る印刷装置で実行されるその他処理のフローチャートである。
【符号の説明】
【０１１２】
１０  印刷装置
２０  制御部
２１  印刷機構制御部
２３  測色データ測定部
５０  ＣＰＵ（低変換精度印刷データ印刷指示手段、削除手段）
５８  変換低精度ページエントリー判断部
６０  精度レベル判定部（変換精度算出手段、演算手段、判定手段、低変換精度データ量計測手段、逸脱量閾値判断手段）
６２  他装置データ変換精度情報入出力部（変換精度取得手段、印刷データ送信手段）
６６  ＧＵＩ−Ｉ／Ｆ
６８  操作パネル（設定手段、逸脱量閾値設定手段、印刷指示設定手段、削除手段）
７０  ＨＤＤ（低変換精度印刷データ記憶手段）
７２  パッチデータ印刷制御部
７４  印刷マーク生成部
７６  イメージデータ変換部
７８  補正データ作成部
【図１】
0005056255.tif 000002
【図２】
0005056255.tif 000003
【図３】
0005056255.tif 000004
【図４】
0005056255.tif 000005
【図５】
0005056255.tif 000006
【図６】
0005056255.tif 000007
【図７】
0005056255.tif 000008
【図８】
0005056255.tif 000009
【図９】
0005056255.tif 000010
【図１０】
0005056255.tif 000011
【図１１】
0005056255.tif 000012
【図１２】
0005056255.tif 000013
【図１３】
0005056255.tif 000014